(57)【特許請求の範囲】
【請求項１】
第１の辺と、当該第１の辺と直交する第２の辺を有する第１の面に表示部を備えた第１の筐体と、
第３の辺と、当該第３の辺と直交する第４の辺を有する第２の面に表示部を備えた第２の筐体と、
前記第１の筐体と前記第２の筐体を連結する第１の連結手段と、
前記第１の筐体の前記第１の面とは反対側の面に設けられた第１の係止手段と、
前記第２の筐体の前記第２の面とは反対側の面に設けられた第２の係止手段と、を有し、前記第１の面と前記第２の面とが略同一の方向を向き、前記第１の辺の延長線上に前記第３の辺が位置する第１の状態と、前記第２の辺の延長線上に前記第４の辺が位置する第２の状態とに、前記第１の筐体と前記第２の筐体の相対的な配置を変更することが出来る表示装置であって、
前記第１の筐体は、前記第１の辺に隣接した位置に前記第１の連結手段の第１の端部を保持する第１の保持手段を備え、
前記第２の筐体は、前記第４の辺に隣接した位置に前記第１の連結手段の第２の端部を保持する第２の保持手段を備え、
前記第１の連結手段は、前記第１の端部と前記第２の端部の間に連結領域を備え、
前記第１の連結手段の前記第１の端部は、前記第１の辺と略平行な第１の軸を中心に回動可能となるように前記第１の保持手段に保持され、
前記第１の連結手段の前記第２の端部は、前記第４の辺と略平行な第２の軸を中心に回動可能となるように前記第２の保持手段に保持され、
前記第１の連結手段の前記連結領域は、前記表示装置を前記第１の面および前記第２の面側から見た場合に、前記表示装置の前記第１の状態と前記第２の状態とで、重畳する筐体が異なり、
前記第１の連結手段は、前記表示装置が前記第１の状態である場合に前記第１の係止手段に係止され、前記表示装置が前記第２の状態である場合に前記第２の係止手段に係止されることを特徴とする表示装置。
【請求項２】
前記第１の連結手段の前記連結領域は、前記表示装置が前記第１の状態であって、前記第１の面側および前記第２の面側から当該表示装置を見た場合に、前記第１の筐体と重畳し、前記表示装置が前記第２の状態であって、前記第１の面側および前記第２の面側から当該表示装置を見た場合に、前記第２の筐体と重畳することを特徴とする請求項１に記載の表示装置。
【請求項３】
前記第１の辺は、前記第１の面の長辺であって、
前記第２の辺は、前記第１の面の短辺であって、
前記第３の辺は、前記第２の面の長辺であって、
前記第４の辺は、前記第２の面の短辺であることを特徴とする請求項１又は２に記載の表示装置。
【請求項４】
前記第１の連結手段の前記連結領域は、平板形状であることを特徴とする請求項１乃至３の何れか一項に記載の表示装置。
【請求項５】
前記第１の筐体と前記第２の筐体の表示部のそれぞれに、単一の画像を分割した複数の分割画像を分けて表示させる場合に、前記表示装置が前記第１の状態であるときと前記第２の状態であるときとで、前記複数の分割画像の大きさをそれぞれ異ならせる制御ができる表示制御手段を有することを特徴とする請求項１乃至４の何れか一項に記載の表示装置。
【請求項６】
前記表示制御手段は、前記第１の筐体と前記第２の筐体の表示部のそれぞれに前記分割画像を分けて表示させる場合に、前記単一の画像のアスペクト比に応じて、前記複数の分割画像の大きさを異ならせることを特徴とする請求項５に記載の表示装置。
【請求項７】
前記表示装置の前記第１の面と前記第２の面とが略同一の方向を向いた状態で、前記連結手段の前記連結領域と重畳する筐体を判定する判定手段を有し、
前記表示制御手段は、前記第１の筐体と前記第２の筐体の表示部のそれぞれに、前記複数の分割画像を分けて表示させる場合に、前記判定手段の判定結果に基づいて、前記複数の分割画像の大きさを異ならせることを特徴とする請求項５又は６に記載の表示装置。
【請求項８】
前記第１の筐体と前記第２の筐体を連結する第２の連結手段を有し、
前記第２の筐体は、前記第３の辺に隣接した位置に前記第２の連結手段の第１の端部を保持する第３の保持手段を備え、
前記第１の筐体は、前記第２の辺に隣接した位置に前記第２の連結手段の第２の端部を保持する第４の保持手段を備え、
前記第２の連結手段は、前記第１の端部と前記第２の端部との間に連結領域を備え、
前記第２の連結手段の前記第１の端部は、前記第２の筐体の前記第１の辺と略平行な第３の軸を中心に回動可能となるように前記第３の保持手段に保持され、
前記第２の連結手段の前記第２の端部は、前記第１の筐体の前記第２の辺と略平行であって前記第３の軸と略直交する第４の軸を中心に回動可能となるように前記第４の保持手段に保持され、
前記第２の連結手段の前記連結領域は、前記表示装置を前記第１の面側および前記第２の面側から見た場合に、前記第１の状態と前記第２の状態とで、重畳する筐体が異なることを特徴とする請求項１乃至７の何れか一項に記載の表示装置。
【請求項９】
前記第２の連結手段の前記連結領域は、前記第１の面側および前記第２の面側から表示装置を見た場合に、前記第１の状態で前記第２の筐体と重畳し、前記第２の状態で前記第１の筐体と重畳することを特徴とする請求項８に記載の表示装置。
【発明の詳細な説明】
【技術分野】
【０００１】
本発明は、表示部を備えた筐体同士の相対的な配置を変更できる表示装置に関する。
【背景技術】
【０００２】
従来、それぞれが表示部を備えた筐体同士を連結し、当該筐体同士の相対的な配置を変更できる表示装置が知られている。特許文献１では、山折りと谷折りが可能な連結具によって２つの筐体同士が連結されたディスプレイ装置について開示されている（例えば、図１３および図１４など）。
【先行技術文献】
【特許文献】
【０００３】
【特許文献１】特開２０１０−２６６７５２号公報
【発明の概要】
【発明が解決しようとする課題】
【０００４】
しかしながら、特許文献１に記載のディスプレイ装置は、連結具の山折り及び谷折り以外の方向に向けて、２つの筐体同士の相対的な配置を変更することができない。すなわち、特許文献１に記載のディスプレイ装置は、各筐体間において、延長線上に位置する辺同士が異なるように、各筐体同士の相対的な配置を変更することができない。
【０００５】
本発明の目的は、各筐体間において、延長線上に位置する辺同士が異なるように、各筐体同士の相対的な配置を変更することができる表示装置を提供することである。
【課題を解決するための手段】
【０００６】
上記目的を達成する本発明の表示装置は、第１の辺と、当該第１の辺と直交する第２の辺を有する第１の面に表示部を備えた第１の筐体と、第３の辺と、当該第３の辺と直交する第４の辺を有する第２の面に表示部を備えた第２の筐体と、前記第１の筐体と前記第２の筐体を連結する第１の連結手段と、前記第１の筐体の前記第１の面とは反対側の面に設けられた第１の係止手段と、前記第２の筐体の前記第２の面とは反対側の面に設けられた第２の係止手段と、を有し、前記第１の面と前記第２の面とが略同一の方向を向き、前記第１の辺の延長線上に前記第３の辺が位置する第１の状態と、前記第２の辺の延長線上に前記第４の辺が位置する第２の状態とに、前記第１の筐体と前記第２の筐体の相対的な配置を変更することが出来る表示装置であって、前記第１の筐体は、前記第１の辺に隣接した位置に前記第１の連結手段の第１の端部を保持する第１の保持手段を備え、前記第２の筐体は、前記第４の辺に隣接した位置に前記第１の連結手段の第２の端部を保持する第２の保持手段を備え、前記第１の連結手段は、前記第１の端部と前記第２の端部の間に連結領域を備え、前記第１の連結手段の前記第１の端部は、前記第１の辺と略平行な第１の軸を中心に回動可能となるように前記第１の保持手段に保持され、前記第１の連結手段の前記第２の端部は、前記第４の辺と略平行な第２の軸を中心に回動可能となるように前記第２の保持手段に保持され、前記第１の連結手段の前記連結領域は、前記表示装置を前記第１の面および前記第２の面側から見た場合に、前記表示装置の前記第１の状態と前記第２の状態とで、重畳する筐体が異なり、前記第１の連結手段は、前記表示装置が前記第１の状態である場合に前記第１の係止手段に係止され、前記表示装置が前記第２の状態である場合に前記第２の係止手段に係止されることを特徴とする。
【発明の効果】
【０００７】
各筐体間において、延長線上に位置する辺同士が異なるように、各筐体同士の相対的な配置を変更することができる表示装置を提供することができる。
【図面の簡単な説明】
【０００８】
【図１】本発明を実施する表示装置の第１実施形態である表示装置１００を構成する第１のパネル１０１の三面図を示している。
【図２】本発明を実施する表示装置の第１実施形態である表示装置１００を構成する第２のパネル１０２の三面図を示している。
【図３】本発明を実施する表示装置の第１実施形態である表示装置１００を構成するヒンジ１０３の三面図を示している。
【図４】表示装置１００を横展開状態にした場合の表示装置の構成を説明する図である。
【図５】表示装置１００を両面状態にした場合の表示装置の構成を説明する図である。
【図６】表示装置１００を縦展開状態にした場合の表示装置の構成を説明する図である。
【図７】本発明を実施する表示装置の実施形態である表示装置１００の内部構成を説明するブロック図である。
【図８】本発明を実施する表示装置の第１実施形態である表示装置１００の表示制御を説明するフローチャートである。
【図９】本発明を実施する表示装置の第１実施形態である表示装置１００の表示制御を説明するフローチャートである。
【図１０】本発明に係る表示装置１００が両面状態である場合に、単一の表示画像を表示する方法を例示的に説明する図である。
【図１１】本発明に係る表示装置１００が横展開状態である場合に、単一の表示画像を分割して表示する方法を例示的に説明する図である。
【図１２】本発明に係る表示装置１００が縦展開状態である場合に、単一の表示画像を分割して表示する方法を例示的に説明する図である。
【図１３】本発明に係る表示装置１００がエラー状態である場合エラーの表示画像を例示的に説明する図である。
【図１４】本発明に係る、元画像の比率に応じた表示画像の大きさを例示的に説明した図である。
【図１５】本発明を実施する表示装置の第２実施形態である表示装置２００が横展開状態である場合の構成を説明する図である。
【図１６】本発明を実施する表示装置の第２実施形態である表示装置２００が両面状態である場合の構成を説明する図である。
【図１７】本発明を実施する表示装置の第２実施形態である表示装置２００が縦展開状態である場合の構成を説明する図である。
【図１８】本発明を実施する表示装置の変形例である表示装置３００を構成する各部を説明する図である。
【図１９】本発明の変形例に係る表示装置３００を横展開状態にした場合の表示装置の構成を説明する図である。
【図２０】本発明を実施した表示装置の変形例である表示装置５００を、撮像装置４００に適用した場合を例示的に説明する図である。
【発明を実施するための形態】
【０００９】
以下に、本発明の好ましい実施の形態を、添付の図面に基づいて詳細に説明する。
【００１０】
（第１実施形態）
以下、本実施形態に係る表示装置である表示装置１００の構成について図１〜１４を参照して説明する。まず、第１のパネル１０１について図１を参照して説明する。図１は、本発明を実施する表示装置の第１実施形態である表示装置１００を構成する第１のパネル１０１の三面図を示している。
【００１１】
第１のパネル１０１は、後述する面Ｆａと面Ｆｂの長辺（第１の辺）の長さがＷｐ、短辺（第２の辺）の長さがＨｐであって、各面が矩形となる平板形状の第１の筐体である。図１に図示するように、第１のパネル１０１の長辺と平行な向きをＸ方向とし、第１のパネル１０１の短辺と平行な向きをＹ方向とする。また、第１のパネル１０１の厚み方向の向きをＺ方向とする。上述したＸ〜Ｚ方向同士はそれぞれが略直交している。
【００１２】
表示部（第１の表示部）１０１ａは、ＴＦＴ型ＬＣＤ（薄膜トランジスタ駆動型液晶表示器）によって形成され、表示内容を変更できる表示部である。以降の説明では、表示部１０１ａが設けられた第１のパネル１０１の正面を面（第１の面）Ｆａとし、その背面を面Ｆｂとする。なお、表示部として有機ＥＬ素子（有機エレクトロルミネッセンス素子）などを採用するような構成であってもよい。
【００１３】
表示部１０１ａは、長辺の長さをＷ、短辺の長さをＨとする矩形形状である。表示部１０１ａの長辺と短辺の比率としては、写真として多用される３：２に設定されているが、その他の比率となるような構成であってもよい。
【００１４】
図１に図示するように、面Ｆａにおいて、表示部１０１ａの外形部から第１のパネル１０１の縁までの距離（額縁幅）ｄは、表示部１０１ａの長辺の長さＷおよび短辺の長さＨに対して、１０分の１以下とする。この構成により、表示装置１００を後述する各展開状態へと変形させた場合に、表示部１０１ａと後述する表示部１０２ａ間の縁部分を目立たなくさせることができる。なお、図中のＺ方向において額縁幅ｄと重畳する第１のパネル１０１の内部には、表示部１０１ａを駆動するための不図示の駆動部や配線などが配されている。
【００１５】
軸支持部１０１ｂ１、１０１ｂ２は、後述する軸１０１ｃを支持する支持部であって、第１のパネル１０１の面Ｆｂに設けられている。軸１０１ｃは、円柱形状の軸であり、両端を軸支持部１０１ｂ１および１０１ｂ２に固定されている。上述した軸支持部１０１ｂ１、１０１ｂ２、軸１０１ｃをまとめて第１の保持手段と称する。この第１の保持手段によって、後述するヒンジ１０３のヒンジ端部（第１の端部）１０３ａが保持される。
【００１６】
上述した第１の保持手段（軸支持部１０１ｂ１、１０１ｂ２、軸１０１ｃ）は、第１のパネル１０１において、面Ｆｂを形成する長辺（第１の辺）に隣接して設けられている。
【００１７】
なお、第１のパネル１０１は、第１のパネル１０１を面Ｆｂ側から見て、第１の保持手段が設けられている側を下側とし、その反対を上側とする。また、後述するセンサ１０１ｅが設けられている側を右側とし、その反対を左側とする。以降の説明では、第１のパネル１０１の面Ｆａと面Ｆｂとの間に設けられた各側面のうち、第１のパネル１０１の下側の側面を面Ｆ１、右側の側面を面Ｆ２、上側の側面を面Ｆ３、上側の側面を面Ｆ４とする。
【００１８】
ここで、面Ｆ１を含む平面上において、面Ｆａとは逆方向（Ｚ方向）に面Ｆｂから距離ｔだけ離れた位置に、軸１０１ｃの中心軸（第１の軸）Ａ１が位置する。軸支持部１０１ｂ１と１０１ｂ２とは、面Ｆｂ上において、第１のパネル１０１の長辺と平行な方向（Ｘ方向）において距離Ｌ１だけ離間して配されている。
【００１９】
なお、Ｘ方向において、軸支持部１０１ｂ１から１０１ｂ２までの中心が、第１のパネル１０１の長辺の中心と一致するように、軸支持部１０１ｂと１０１ｂ２とが第１のパネル１０１の面Ｆｂに固定されている。
【００２０】
磁石１０１ｄは、平板形状の磁石（第１の係止手段）であり、第１のパネル１０１の面Ｆｂに設けられている。本実施形態では、磁石１０１ｄの形状に合わせて第１のパネル１０１の面Ｆｂに凹部が設けられている。そして当該凹部に合わせて磁石１０１ｄを配することで、磁石１０１ｄが周りの面Ｆｂから突出しないような構成である。
【００２１】
なお、磁石１０１ｄは、面Ｆｂ側がＮ極となるように着磁されている。面Ｆｂから見て、磁石１０１ｄの中心から面Ｆ１までの距離を距離ｈとし、磁石１０１ｄの中心から面Ｆ２まで距離を距離ｗとする。図１に図示するように、磁石１０１ｄは、距離ｈと距離ｗとが等しくなるように設けられている。
【００２２】
センサ１０１ｅは、磁力を検知するホール素子からなるセンサ（第１の検知手段）であり、磁石１０１ｄと同様に、面Ｆｂから突出しないように設けられている。磁石１０１ｄとセンサ１０１ｅの詳細については、第２のパネル１０２に設けられた磁石１０２ｄとセンサ１０２ｅとを含めて後述する。
【００２３】
次に、図２を参照して第２のパネル１０２について詳細を説明する。図２は、本発明を実施する表示装置の第１実施形態である表示装置１００を構成する第２のパネル１０２の三面図を示している。
【００２４】
第２のパネル１０２は、後述する面Ｆａと面Ｆｂの長辺（第３の辺）の長さがＷｐ、短辺（第４の辺）の長さがＨｐであって、各面が矩形となる平板形状の筐体である。図２に図示するように、第２のパネル１０２の長辺と平行な向きをＸ方向とし、第２のパネル１０２の短辺と平行な向きをＹ方向とする。また、第１のパネル１０２の厚み方向の向きをＺ方向とする。上述したＸ〜Ｚ方向同士はそれぞれが略直交している。なお、図２に図示した方向Ｘ〜Ｚは図１に図示した方向Ｘ〜Ｚと同一である。
【００２５】
表示部（第２の表示部）１０２ａは、前述した第１の表示部１０１ａと同一の構成を採用した表示部である。前述した第１のパネル１０１と同様に、第２のパネル１０２においても、表示部１０２ａが設けられた面を面（第２の面）Ｆａとし、その背面を面Ｆｂとする。
【００２６】
軸支持部１０２ｂ１、１０２ｂ２は、後述する軸１０２ｃを支持する支持部であって、第２のパネル１０２の面Ｆｂに設けられている。軸１０２ｃは、円柱形状の軸であり、両端を軸支持部１０２ｂ１および１０２ｂ２に固定されている。上述した軸支持部１０２ｂ１、１０２ｂ２、軸１０２ｃをまとめて第２の保持手段と称する。この第２の保持手段によって、後述するヒンジ１０３のヒンジ端部（第２の端部）１０３ｂが保持される。
【００２７】
上述した第２の保持手段（軸支持部１０２ｂ１、１０２ｂ２、軸１０２ｃ）は、第２のパネル１０２において、面Ｆｂを形成する短辺（第４の辺）の縁部に設けられている。
【００２８】
なお、第２のパネル１０２は、第２のパネル１０２を面Ｆｂ側から見て、第２の保持手段が設けられている側を左側とし、その反対側を右側とする。また、後述する磁石１０２ｄが設けられている側を下側とし、その反対側を上側とする。以降の説明では、第２のパネル１０２の面Ｆａと面Ｆｂとの間に設けられた各側面のうち、第２のパネル１０２の下側の側面を面Ｆ１、左側の側面を面Ｆ２、上側の側面を面Ｆ３、右側の側面を面Ｆ４とする。すなわち、第２のパネル１０２と前述した第１のパネル１０１とを比較すると、辺Ｆ２と辺Ｆ４の位置が、それぞれ左右異なる構成である。
【００２９】
ここで、面Ｆｂと略平行であって、面Ｆ２と同一平面上において、面Ｆａとは逆方向（Ｚ方向）に面Ｆｂから距離ｔだけ離れた位置に、軸１０２ｃの中心軸（第２の軸）Ａ２が位置する。上述した、面Ｆｂから軸Ａ２までの距離ｔは、表示部１０２ａの長辺の長さＷおよび短辺の長さＨに対して十分に小さく、１０分の１以下である。
【００３０】
また、軸支持部１０２ｂ１と１０２ｂ２とは、面Ｆｂ上において、第２のパネル１０２の短辺と平行な方向（Ｙ方向）において距離Ｌ２だけ離間して配されている。なお、Ｙ方向において、軸支持部１０２ｂ１から１０２ｂ２までの中心が、第２のパネル１０２の短辺の中心と略一致するように、軸支持部１０２ｂと１０２ｂ２とが第２のパネル１０２の面Ｆｂに固定されている。
【００３１】
磁石１０２ｄは、平板形状の磁石（第２の係止手段）であり、第２のパネル１０２の面Ｆｂに設けられている。なお、前述した第１のパネル１０１の磁石１０１ｄと同様に、磁石１０２ｄも周囲の面Ｆｂから突出しないように設けられている。また、磁石１０２ｄは、面Ｆｂ側がＳ極となるように着磁されている。第２のパネル１０２における磁石１０２ｄの配置は前述した磁石１０１ｄと同様であるので、説明は省略する。
【００３２】
センサ１０２ｅは、磁力を検知するホール素子からなるセンサ（第２の検知手段）であり、前述した磁石１０２ｄと同様に、面Ｆｂから突出しないように第２のパネル１０２の面Ｆｂに設けられている。
【００３３】
本実施形態の表示装置１００は、表示部１０１ａと表示部１０２ａとが同一の方向を向く状態（展開状態）と、表示部１０１ａと表示部１０２ａとが異なる方向を向く状態（両面状態）とに変形させることができる。上述した表示装置１００の展開状態のうち、第１のパネル１０１と第２のパネル１０２の長辺同士が互いの延長線上に位置する状態を横展開状態（第１の状態）とする。また、上述した表示装置１００の展開状態のうち、第１のパネルと第２のパネルの短辺同士が互いの延長線上に位置する状態を縦展開状態（第２の状態）とする。
【００３４】
具体的には、第１のパネル１０１と第２のパネル１０２の面Ｆｂ同士が略同一の方向を向き、第１のパネル１０１の長辺（第１の辺）の略延長線上に第２のパネル１０２の長辺（第３の辺）が位置する状態を、表示装置１００の横展開状態（第１の状態）とする。また、第１のパネル１０１と第２のパネル１０２の面Ｆｂ同士が略同一の方向を向き、第１のパネル１０１の短辺（第２の辺）の略延長線上に第２のパネル１０２の短辺（第４の辺）が位置する状態を、表示装置１００の縦展開状態（第２の状態）とする。
【００３５】
次に、図３を参照して本実施形態の第１の連結手段である２軸ヒンジ（以下、単にヒンジと称す）１０３について詳細を説明する。図３は、本発明を実施する表示装置の第１実施形態である表示装置１００を構成するヒンジ１０３の三面図を示している。
【００３６】
ヒンジ１０３は、金属材料によって形成された平板形状の第１の連結手段である。ヒンジ端部１０３ａは、回動軸（第１の軸）Ｂ１を中心とした円筒形状であって、ヒンジ１０３の端部のうち、前述した第１の保持手段に保持される第１の端部である。ヒンジ端部１０３ａの軸Ｂ１は、第１のパネル１０１の長辺と略平行な軸である。そして、ヒンジ１０３は、この軸Ｂ１を中心に後述する第１の方向に向けて回動可能である。
【００３７】
ヒンジ端部１０３ａの外径は２ｔである。そして、ヒンジ端部１０３ａの内径は、前述した軸１０１ｃの外径よりもわずかに大きい寸法となる。また、軸Ｂ１と平行な方向のヒンジ端部１０３ａの長さＬ３は、前述した軸支持部１０１ｂ１と１０１ｂ２間における軸１０１ｃの距離Ｌ１に対してわずかに小さい。
【００３８】
したがって、ヒンジ端部１０３ａの円筒形状部分に前述した第１の保持手段の軸１０１ｃを挿入した状態で、ヒンジ端部１０３ａと軸１０１ｃとは、所定のあそびを持って相対的に回動させることができる。ヒンジ端部１０３ａの軸Ｂ１と平行な方向への移動は、軸支持部１０１ｂ１、１０１ｂ２によって抑制される。
【００３９】
ヒンジ端部１０３ｂは、回動軸（第２の軸）Ｂ２を中心とした円筒形状であって、ヒンジ１０３の端部のうち、前述した第２の保持手段に保持される第２の端部である。ヒンジ端部１０３ｂの軸Ｂ２は、第２のパネル１０２の短辺と略平行な軸である。そして、ヒンジ１０３は、この軸Ｂ２を中心に後述する第２の方向に向けて回動可能である。
【００４０】
すなわち、ヒンジ１０３は、軸Ｂ１と軸Ｂ２を中心に、それぞれ異なる方向に向けて回動可能な連結手段である。なお、ヒンジ１０３の回動軸Ｂ１と回動軸Ｂ２とは、同じ平面において互いに直交している。
【００４１】
前述したヒンジ端部１０３ａと同様に、ヒンジ端部１０３ｂの外径は２ｔ、内径は前述した軸１０２ｃの外径よりもわずかに大きい寸法となる。また、軸Ｂ２と平行な方向のヒンジ端部１０３ｂの長さＬ４は、前述した軸支持部１０２ｂ１と１０２ｂ２間における軸１０２ｃの距離Ｌ２に対してわずかに小さい。
【００４２】
したがって、ヒンジ端部１０３ｂの円筒形状部分に前述した第２の保持手段の軸１０２ｃを挿入した状態で、ヒンジ端部１０３ｂと軸１０２ｃとは、所定のあそびを持って相対的に回動することができる。ヒンジ端部１０３ｂの軸Ｂ２と平行な方向への移動は、軸支持部１０２ｂ１、１０２ｂ２によって抑制される。
【００４３】
連結部１０３ｃは、磁性を有する金属材料によって形成された部材であって、第１のパネル１０１と第２のパネル１０２とを相対的に回動可能に連結するヒンジ１０３の連結領域である。なお、本実施形態では、ヒンジ１０３を形成する、連結部１０３ｃ、ヒンジ端部１０３ａ、１０３ｂがそれぞれ独立しており、ヒンジ端部１０３ａ、１０３ｂが連結部１０３ｃに固定されている構成であるが、これに限定されるものではない。例えば、上述したそれぞれの構成が一体的に形成されているような構成であってもよい。なお、連結部１０３ｃは、平板形状であって、後述する磁石１０３ｅが設けられた面を面（正面）Ｆｃとし、その背面を面Ｆｄとする。
【００４４】
軸Ｂ１と平行な方向におけるヒンジ端部１０３ａの中点から軸Ｂ２までの距離は、第１のパネル１０１および第２のパネル１０２の長辺の長さＷｐの半分（Ｗｐ／２）である。また、軸Ｂ２と平行な方向におけるヒンジ端部１０３ｂの中点から軸Ｂ１までの距離は、第１のパネル１０１および第２のパネル１０２の短辺の長さＨｐの半分（Ｈｐ／２）である。
【００４５】
ここで、図３に図示する点線の範囲（係止範囲）１０３ｄは、連結部１０３ｃと第１のパネル１０１または第２のパネル１０２が重畳している際に、磁石１０１ｄまたは磁石１０２ｄと重畳する範囲である。なお、係止範囲１０３ｄは、面Ｆｄ側から見て、軸Ｂ１から中心までの距離が距離ｈ、軸Ｂ２から中心までの距離が距離Ｗとなる連結部１０３ｃ上の範囲である。この係止範囲１０３ｄに、前述した磁石１０１ｄ、１０２ｄが吸着することで、ヒンジ１０３が磁石１０１ｄまたは磁石１０２ｄによって係止される。この構成によって、表示装置１００を後述する横展開状態、縦展開状態、両面状態の何れかに維持することができる。
【００４６】
なお、本実施形態では、連結部１０３ｃ全体が磁性を有する材料によって形成されているような構成であるが、連結部１０３ｄの係止範囲１０３ｄに対応する位置に、磁性を有する他の部材を固定して設けるような構成であってもよい。
【００４７】
検知用の磁石１０３ｅは、平板形状の被検知手段であって、面Ｆｃと面Ｆｄから突出しないように連結部１０３ｃに設けられている。磁石１０３ｅは、面Ｆｃ側の面がＮ極であって、面Ｆｄ側の面がＳ極である。本実施形態の表示装置１００は、前述したセンサ１０１ｅ、１０２ｅによって磁石１０３ｅの磁力を検知することによって、表示装置１００の展開状態を判定することができる。この詳細については後述する。
【００４８】
次に、図４〜６を参照して表示装置１００の構成と各状態について説明する。表示装置１００は、表示部１０１ａを備えた第１のパネル１０１と、表示部１０２ａを備えた第２のパネル１０２と、第１のパネル１０１と第２のパネル１０２との相対的な配置を変更可能に連結するヒンジ１０３とによって構成されている。
【００４９】
ここで、ヒンジ１０３の２つの端部は、第１のパネル１０１に設けられた第１の保持手段と第２のパネル１０２に設けられた第２の保持手段に保持されており、それぞれの端部は回動可能である。
【００５０】
この構成により、本発実施形態の表示装置１００は、第１のパネル１０１と第２のパネル１０２とが相対的に回動可能であって、第１のパネル１０１と第２のパネル１０２の相対的な配置を変更することができる。
【００５１】
なお、第１のパネル１０１と第２のパネル１０２が相対的に回動可能な方向は、ヒンジ１０３を構成する２つのヒンジ端部１０３ａ、１０３ｂを中心とする２つの回動軸Ｂ１とＢ２とで異なる。すなわち、本実施形態の表示装置１００は、それぞれが直交する複数の軸を中心に第１のパネル１０１と第２のパネル１０２とを相対的に回動させることで、それぞれのパネル同士の相対的な配置を変更することができる。以下、表示装置１００が変形可能な各状態について説明する。
【００５２】
まず、表示装置１００の横展開状態について図４を参照して説明する。図４は、表示装置１００を横展開状態にした場合の表示装置の構成を説明する図である。図４（ａ）は、正面側（表示部１０１ａ、１０２ａが設けられている面側）から見た表示装置１００を説明する図である。図４（ｂ）は、背面側（表示部１０１ａ、１０２ａが設けられている面とは反対側）から見た表示装置１００を中心とした三面図である。
【００５３】
本実施形態の表示装置１００は、前述したように、ヒンジ端部１０３ａの内部に軸１０１ｃが挿入された状態で、互いが摺動しながら相対的に回動する。したがって、ヒンジ１０３は、第１のパネル１０１に対して回動軸Ｂ１（上述した状態で中心軸Ａ１と略一致する）を中心に回動可能に保持される。
【００５４】
同様に、ヒンジ端部１０３ｂと軸１０２ｃも互いが摺動しながら相対的に回動するため、ヒンジ１０３は、第２のパネル１０２に対して回動軸Ｂ２（上述した状態で中心軸Ａ２と略一致する）を中心に回動可能に保持される。
【００５５】
図４（ａ）に図示するように、第１のパネル１０１と第２パネル１０２の面Ｆ２同士が当接した状態であって、表示部１０１ａと表示部１０２ａとが同じ平面において略同一の方向を向いている状態が、表示装置１００の横展開状態である。この状態で、面Ｆａ側から見て、第１のパネル１０１と第２のパネル１０２の短辺同士が隣接し、第１のパネル１０１の長辺の略延長線上の位置に第２のパネル１０２の長辺が位置する。
【００５６】
表示装置１００が横展開状態である場合、面Ｆａから見て、表示部１０１ａと表示部１０２ａは、互いの短辺同士を距離２ｄ分だけ離して配列される。このとき、表示装置１００全体の長辺の寸法は２Ｗ＋４ｄであり、短辺の寸法はＨとなる。そして、この状態の表示装置１００全体の表示部（以下、仮想表示部と称す）Ｓｈが図４（ａ）の点線で図示した領域となる。額縁幅ｄは、仮想表示部の長辺と短辺の長さに対して十分に小さく無視できるものとすると、仮想表示部Ｓｈの長辺の長さと短辺の長さの比率は、約３：１となる。
【００５７】
表示装置１００が横展開状態である場合、ヒンジ１０３の連結部１０３ｃは、表示部１０１ａ、１０２ａの表示方向（表示装置１００の厚み方向）において、第１のパネル１０１と重畳する。この状態で、第１のパネル１０１の面Ｆｂと連結部１０３ｃの面Ｆｃとが略平行の関係で対向している。
【００５８】
そして、この状態で、磁石１０１ｄがヒンジ１０３（の係止範囲１０３ｄ）に吸着するので、ヒンジ１０３が第１のパネル１０１に係止される。また、この状態で、センサ１０１ｅと磁石１０３ｅとが近接して対向するため、センサ１０１ｅによって磁石１０３ｅの磁力が検知される。センサ１０１ｅが磁石１０３ｅの磁力を検知することによって、後述する表示制御回路１１０、１２０は、現在の表示装置１００の状態が横展開状態であると検出する。この詳細については後述する。
【００５９】
次に、表示装置１００の両面状態について図５を参照して説明する。図５は、表示装置１００を両面状態にした場合の表示装置の構成を説明する図である。図５（ａ）は、正面側（表示部１０１ａが設けられている面側）から見た表示装置１００を説明する図である。図５（ｂ）は、背面側（表示部１０２ａが設けられている面側）から見た表示装置１００を中心とした三面図である。
【００６０】
表示装置１００の両面状態は、横展開状態から図４（ｂ）に図示する実線矢印方向へと、軸Ａ２（軸Ｂ２）を中心に第１のパネル１０１と第２のパネル１０２とを相対的に１８０度回動させた状態である。なお、両面状態から図５（ｂ）に図示する点線矢印方向へと、軸Ａ２（軸Ｂ２）を中心に第１のパネル１０１と第２のパネル１０２とを相対的に１８０度回動させることで、表示装置１００を横展開状態へと変形することができる。以上説明した、軸Ａ２（Ｂ２）回りの回動方向を第１の方向と称する。
【００６１】
図５（ａ）に図示するように、第１のパネル１０１と第２パネル１０２の面Ｆ２同士が同じ平面において略同一の方向を向いている状態であって、表示部１０１ａと表示部１０２ａ同士が対向した状態が、表示装置１００の両面状態（第３の状態）である。すなわち、表示装置１００が両面状態である場合は、表示装置１００の正面側と背面側の両方に、長辺の寸法がＷであり短辺の寸法がＨとなる表示部が面する。
【００６２】
この状態で、ヒンジ１０３の連結部１０３ｃは、表示装置１００の厚み方向において、第１のパネル１０１および第２のパネル１０２と重畳する。そして、この状態で、第１のパネル１０１の面Ｆｂと連結部１０３ｃの面Ｆｃとが略平行の関係で対向し、第２のパネル１０２の面Ｆｂと連結部１０３ｃの面Ｆｄとが略平行の関係で対向している。
【００６３】
したがって、表示装置１００が両面状態である場合は、磁石１０１ｄと磁石１０２ｄがヒンジ１０３に吸着することで、ヒンジ１０３が第１のパネル１０１と第２のパネル１０２に係止される。
【００６４】
また、この状態で、センサ１０１ｅと磁石１０３ｅ、およびセンサ１０２ｅと磁石１０３ｅとが近接して対向するため、センサ１０１ｅおよびセンサ１０２ｅの双方によって磁石１０３ｅの磁力が検知される。センサ１０１ｅとセンサ１０２ｅの双方が磁石１０３ｅの磁力を検知することによって、後述する表示制御回路１１０、１２０は、現在の表示装置１００の状態が両面状態であると検出する。この詳細については後述する。
【００６５】
次に、表示装置１００の縦展開状態について図６を参照して説明する。図６は、表示装置１００を縦展開状態にした場合の表示装置の構成を説明する図である。図６（ａ）は、正面側（表示部１０１ａ、１０２ａが設けられている面側）から見た表示装置１００を説明する図である。図６（ｂ）は、背面側（表示部１０１ａ、１０２ａが設けられている面とは反対側）から見た表示装置１００を中心とした三面図である。
【００６６】
表示装置１００の縦展開状態は、両面状態から図５（ｂ）に図示する実線矢印方向へと、軸Ａ１（軸Ｂ１）を中心に第１のパネル１０１と第２のパネル１０２を相対的に１８０度回動させた状態である。なお、表示装置１００は、縦展開状態から図６（ｂ）に図示する点線矢印方向へと、軸Ａ１（軸Ｂ１）を中心に第１のパネル１０１と第２のパネル１０２を相対的に１８０度回動させることで、両面状態へと変形することができる。以上説明した、軸Ａ１（軸Ｂ１）回りの前記第１のパネル１０１および第２のパネル１０２の回動方向を、第２の方向と称する。
【００６７】
図６（ａ）に図示するように、第１のパネル１０１と第２のパネル１０２の面Ｆ１同士が当接した状態であって、表示部１０１ａと表示部１０２ａとが同じ平面において略同一の方向を向いている状態が、表示装置１００の縦展開状態である。この状態で、面Ｆａ側から見て、第１のパネル１０１と第２のパネル１０２の長辺同士が隣接し、第１のパネル１０１の短辺の略延長線上の位置に第２のパネル１０２の短辺が位置する。
【００６８】
表示装置１００が縦展開状態である場合、面Ｆａから見て、表示部１０１ａと表示部１０２ａは、互いの長辺同士を距離２ｄ分だけ離して配列される。このとき、表示装置１００全体の長辺の寸法は２Ｈ＋４ｄであり、短辺の寸法はＷとなる。そして、この状態の表示装置１００全体の仮想表示部Ｓｈが図６（ａ）の点線で図示した領域となる。額縁幅ｄは、仮想表示部の長辺と短辺の長さに対して十分に小さく無視できるものとすると、仮想表示部Ｓｈの長辺の長さと短辺の長さの比率は、約４：３となる。
【００６９】
表示装置１００が縦展開状態である場合、ヒンジ１０３の連結部１０３ｃは、表示部１０１ａ、１０２ａの表示方向（表示装置１００の厚み方向）において、第２のパネル１０２と重畳する。この状態で、第２のパネル１０２の面Ｆｂと連結部１０３ｃの面Ｆｄとが略平行の関係で対向している。
【００７０】
そして、この状態で、磁石１０２ｄがヒンジ１０３（の係止範囲１０３ｄ）に吸着するので、ヒンジ１０３が第２のパネル１０２に係止される。また、この状態で、センサ１０２ｅと磁石１０３ｅとが近接して対向するため、センサ１０２ｅによって磁石１０３ｅの磁力が検知される。センサ１０２ｅが磁石１０３ｅの磁力を検知することによって、後述する表示制御回路１１０、１２０は、現在の表示装置１００の状態が縦展開状態であると検出する。この詳細については後述する。
【００７１】
以上説明したように、本実施形態の表示装置１００は、表示部１０１ａ、１０２ａの表示方向（表示装置１００の厚み方向）において、横展開状態と縦展開状態とで、ヒンジ１０３の連結部１０３ｃが重畳するパネルが異なる。例えば、縦展開状態から横展開状態へと第１のパネル１０１と第２のパネル１０２の相対的な配置を変更すると、ヒンジ１０３の連結部１０３ｃが重畳するパネルが、第１のパネル１０１から第２のパネル１０２へと入れ替わる。
【００７２】
図４（ｂ）に図示するように、表示装置１００が横展開状態である場合は、ヒンジ１０３の回動軸である軸Ｂ２（および軸Ａ２）が、第１のパネル１０１および第２のパネル１０２の面ＦｂからＺ方向に離間した状態となる。この状態で、第１のパネル１０１と第２のパネル１０２の面Ｆ２同士が接触するので、表示部１０１ａと表示部１０２ａとを、できる限り近づけることが出来る。
【００７３】
また、図６（ｂ）に図示するように、表示装置１００が縦展開状態である場合は、ヒンジ１０３の回動軸である軸Ｂ１（および軸Ａ１）が、第１のパネル１０１および第２のパネル１０２の面ＦｂからＺ方向に離間した状態となる。この状態で、第１のパネル１０１と第２のパネル１０２の面Ｆ１同士が接触するので、表示部１０１ａと表示部１０２ａとをできる限り近づけることが出来る。
【００７４】
例えば、表示部１０１ａと表示部１０２ａのそれぞれに、単一の画像を分割した複数の画像（分割画像）を分けて表示させる場合、ユーザが表示装置１００を見たときに、表示部同士が離れ過ぎていることでユーザに対して違和感を与えてしまう。
【００７５】
これに対して本実施形態の表示装置１００は、表示装置１００の状態を変更した場合であっても、ヒンジ１０３のヒンジ端部１０３ａ、１０３ｂが、第１のパネル１０１と第２のパネル１０２を構成する各面に干渉することはない。そして、表示装置１００の横展開状態および縦展開状態の双方において、第１の表示部１０１ａと第２の表示部１０２ａの距離を近づけることができる。したがって、本実施形態の表示装置１００は、ユーザが、表示された画像を見る際の違和感を抑制することができる。
【００７６】
また、表示装置１００の横展開状態では幅２Ｗ＋４ｄ、高さＨ＋２ｄ＋ｔ、縦展開状態では幅Ｗ＋２ｄ＋ｔ、高さ２Ｈ＋４ｄであるのに対して、両面状態では、幅Ｗ＋２ｄ＋ｔ、高さＨ＋２ｄ＋ｔにすることができる。すなわち、図５に図示するような表示装置１００の両面状態では、横展開状態および縦展開状態と比較して、表示装置１００のサイズを略半分にすることができる。
【００７７】
また、表示装置１００の表示範囲としては、両面状態で幅Ｗ、高さＨであるのに対して、横展開状態で幅２Ｗ（額縁幅を無視しない場合は２Ｗ＋２ｄ）、高さＨとなる。また、縦展開状態で幅Ｗ、高さ２Ｈ（額縁幅を無視しない場合は２Ｈ＋２ｄ）となる。すなわち、図４、６に図示するように、表示装置１００の展開状態では、両面状態と比較して、表示装置１００の表示範囲を約２倍にすることができる。
【００７８】
以上説明したように、本実施形態の表示装置１００は、状態に応じて装置自体の小型化と表示範囲の大型化が可能であるので、携帯性を向上しつつ、同一平面における表示範囲を拡大することができる。
【００７９】
なお、表示装置１００の両面状態では、磁石１０１ｄおよび磁石１０２ｄの両方が係止範囲１０３ｄに吸着することで、横展開状態や縦展開状態よりも、第１のパネル１０１と第２のパネル１０２とが相対的に回動しにくい。したがって、本実施形態の表示装置１００は両面状態において、表示装置１００を運搬する際などの外力に応じて表示装置１００が不意に展開することを抑制することができる。
【００８０】
以上説明したように、本実施形態の表示装置１００は、横展開状態、両面状態、縦展開状態という３つの状態間における変形操作を容易に行うことができる。したがって、本実施形態の表示装置１００は、それぞれ表示部が設けられた第１のパネル１０１と第２のパネル１０２との相対的な配置を複数の状態へと変更することができる。特に、第１のパネル１０１と第２のパネル１０２において、延長線上に位置する辺同士が異なるように、第１のパネル１０１と第２のパネル１０２の相対的な配置を変更することができる。
【００８１】
この構成により、本実施形態の表示装置１００は、表示部１０１ａと表示部１０２ａに単一の画像を分割して表示させる場合に、表示させたい画像のアスペクト比や撮影の種類に応じて、各パネルの相対的な配置を自由に変更することができる。
【００８２】
例えば、表示装置１００全体に表示させる画像の長辺と短辺の比率が、３：２や１６：９など、写真（または撮像素子）に多用される比率である場合は、表示装置１００の状態を縦展開状態に変更させる。また、表示装置１００全体に表示させる画像の長辺と短辺の比率が、映画用に多用されるスコープサイズや、所謂パノラマ画像などの横長な比率（例えば、２：１以上の比率など）である場合は、表示装置１００の状態を横展開状態に変更させる。
【００８３】
このように、本実施形態の表示装置１００は、表示させたい画像の長辺と短辺の比率（またはアスペクト比）に合わせて、各パネルの相対的な配置を変更することができるので、できる限り大きい画像を表示させることができる。特に、表示装置１００をデジタルカメラなどの撮像装置に適用させた場合は、撮像装置によって取得した大きさ（各辺の比率）が異なる種々の画像に合わせて、当該画像をできるだけ大きく表示させることができる。
【００８４】
次に、表示装置１００の表示に関する動作について図７〜１４を参照して説明する。図７は、本発明を実施する表示装置の実施形態である表示装置１００の内部構成を説明するブロック図である。図７に図示するように、第１のパネル１０１は、前述した構成以外に、第１の表示制御回路１１０、第１の電源部１１１、第１の通信部１１２を備えている。また、第２のパネル１０２は、前述した構成以外に、第２の表示制御回路１２０、第２の電源部１２１、第２の通信部１２２を備えている。
【００８５】
第１の表示制御回路１１０は、表示部１０１ａに表示用の画像（以下、表示画像と称す）を表示させる制御（表示制御）ができる表示制御手段である。第１の表示制御回路１１０は、センサ１０１ｅおよびセンサ１０２ｅの検知結果に基づいて、表示部１０１ａに表示させる表示画像を制御する。
【００８６】
また、第２の表示制御回路１２０は、表示部１０２ａに表示画像を表示させる制御ができる表示制御手段である。第２の表示制御回路１２０は、センサ１０１ｅおよびセンサ１０２ｅの検知結果に基づいて、表示部１０２ａに表示させる表示画像を制御する。
【００８７】
第１の電源部１１１は、第１のパネル１０１を構成する各部に電力を供給する電力供給手段である。また、第２の電源部１２１は、第２のパネル１０２を構成する各部に電力を供給する電力供給手段である。表示装置１００の電源がオンされると、第１の表示制御回路を介して、第１の電源部１１１から第１のパネル１０１の各部へと電力が供給される。同様に、第２の表示制御回路を介して、第２の電源部１２１から第２のパネル１０２の各部へと電力が供給される。
【００８８】
第１の通信部１１２および第２の通信部１２２は、第１のパネル１０１と第２のパネル１０２との間で種々のデータを送受信するための通信手段である。なお、第１の通信部１１２と第２の通信部１２２は、第１の表示制御回路１１０および第２の表示制御回路１２０からの指示に応じて動作する。以降の説明では、第１の表示制御回路１１０と第２の表示制御回路１２０との通信は、第１の通信部１１２および第２の通信部１２２をそれぞれ介して行われるものとする。
【００８９】
なお、本実施形態の第１の通信部１１２および第２の通信部１２２は、無線通信によって、種々のデータを送受信する構成であるが、これに限定されるものではない。例えば、前述したヒンジ１０３に通信用のケーブルなどを設け、当該通信用のケーブルを用いて各パネル間での通信をおこなうような構成であってもよい。なお、当該通信用のケーブルとしては、フレキシブルプリント配線基板（以下、ＦＰＣと称す）などを採用する。そして、ヒンジ１０３の内部や、ヒンジ１０３の外面に沿うように当該ＦＰＣを配設すればよい。
【００９０】
なお、本実施形態の表示装置１００では、上述したように第１のパネル１０１および第２のパネル１０２の双方に表示制御回路等を設けるような構成だが、これに限定されるものではない。例えば、第１のパネル１０１または第２のパネル１０２の何れか一方のみに表示制御回路を設けるような構成であってもよい。その場合、どちらか一方の表示制御回路によって第１のパネル１０１および第２のパネル１０２の動作が制御される。
【００９１】
次に、表示装置１００における表示画像を表示するための表示制御の方法について、図８を参照して説明する。図８は、本発明を実施する表示装置の第１実施形態である表示装置１００の表示制御を説明するフローチャートである。なお、図８に図示するＳ１、Ｓ２は、それぞれセンサ１０１ｅ、１０２ｅの検知結果（検知状態）を表している。センサ１０１ｅが磁力を検知している状態がＳ１＝１であり、検知していない状態がＳ１＝０である。同様に、センサ１０２ｅが磁力を検知した状態がＳ２＝１であり、検知していない状態がＳ１＝０である。
【００９２】
なお、前述した磁力を検知している状態とは、センサ１０１ｅ、１０２ｅが所定値以上の磁力を検知している状態である。したがって、センサ１０１ｅ、１０２ｅが所定値よりも小さい磁力を検知している場合、センサ１０１ｅ、１０２ｅの検知結果（検知状態）はＳ１＝０、Ｓ２＝０となる。
【００９３】
図８に図示するように、表示装置１００の表示制御に関わる処理が開始されると、ステップＳ１０１で表示制御回路１２０は、センサ１０２ｅの検知状態を第２の通信部１２２を介して表示制御回路１１０へと送信する。そして、表示制御回路（判定手段）１１０は、センサ１０１ｅの検知状態と、センサ１０２ｅの検知状態に基づいて、連結部１０３ｃと重畳しているパネルを検出する。すなわち、表示制御回路１１０は、センサ１０１ｅ、１０２ｅの検知結果に基づいて、表示装置１００の状態を判定（検出）する。
【００９４】
ここで、ステップＳ１０１の検出結果について説明する。ステップＳ１０１の検出結果が（センサ１０１ｅ、１０２ｅの検知状態が）Ｓ１＝１かつＳ２＝１である場合は、センサ１０１ｅとセンサ１０２ｅの両方で磁力を検知している状態である。したがって、表示制御回路１１０は、表示装置１００の厚み方向（Ｚ方向）において、連結部１０３ｃが第１のパネル１０１と第２のパネル１０２の両方と重畳している状態であると判定する。すなわち、表示制御回路１１０は、表示装置１００の状態が両面状態であると判定する。
【００９５】
また、ステップＳ１０１の検出結果がＳ１＝１かつＳ２＝０である場合は、センサ１０１ｅのみで磁力を検知している状態である。したがって、表示制御回路１１０は、表示装置１００の厚み方向（Ｚ方向）において、連結部１０３ｃが第１のパネル１０１と重畳している状態であると判定する。すなわち、表示制御回路１１０は、表示装置１００の状態が横展開状態であると判定する。
【００９６】
また、ステップＳ１０１の検出結果がＳ１＝０かつＳ２＝１である場合は、センサ１０２ｅのみで磁力を検知している状態である。したがって、表示制御回路１１０は、表示装置１００の厚み方向（Ｚ方向）において、連結部１０３ｃが第２のパネル１０２と重畳している状態であると判定する。すなわち、表示制御回路１１０は、表示装置１００の状態が縦展開状態であると判定する。
【００９７】
さらに、ステップＳ１０１の検出結果がＳ１＝０かつＳ２＝０である場合は、センサ１０１ｅとセンサ１０２ｅの両方で磁力を検知していない（できない）状態である。したがって、表示制御回路１１０は、表示装置１００の厚み方向（Ｚ方向）において、連結部１０３ｃが重畳しているパネルがないと判定する。すなわち、表示制御回路１１０は、表示装置１００の状態は何らかのエラーが発生している状態（以下、エラー状態と称す）であると判定する。
【００９８】
なお、ステップＳ１０１の工程における各判定は、表示制御回路１１０ではなく表示制御回路１２０で実行するような構成であってもよい。この場合、センサ１０１ｅの検知状態が表示制御回路１１０から第１の通信部１１２を介して表示制御回路１２０に送られる。
【００９９】
図８に戻り、ステップＳ１０１の判定結果が、Ｓ１＝１かつＳ２＝１である場合はステップＳ１０２に進む。また、ステップＳ１０１での検出結果が、Ｓ１＝１かつＳ２＝０である場合はステップＳ１０３に進む。また、ステップＳ１０１での検出結果が、Ｓ１＝０かつＳ２＝１である場合はステップＳ１０４に進む。さらに、ステップＳ１０１での検出結果が、Ｓ１＝０かつＳ２＝０である場合はステップＳ１０４に進む。
【０１００】
以下、図９〜１３を参照して、上述した各状態における表示装置１００の表示制御について説明する。まず、図９と図１０を参照して、表示装置１００が両面状態である場合の表示制御について説明する。
【０１０１】
図９は、本発明を実施する表示装置の第１実施形態である表示装置１００の表示制御を説明するフローチャートである。図９（ａ）は、表示装置１００が両面状態であると判定された場合の表示制御を説明するフローチャートである。図９（ｂ）は、表示装置１００が横展開状態であると判定された場合の表示制御を説明するフローチャートである。図９（ｃ）は、表示装置１００が縦展開状態であると判定された場合の表示制御を説明するフローチャートである。図９（ｄ）は、表示装置１００がエラー状態であると判定された場合の表示制御を説明するフローチャートである。
【０１０２】
図１０は、本発明に係る表示装置１００が両面状態である場合に、単一の表示画像を表示する方法を例示的に説明する図である。図１０（ａ）は、表示装置１００に表示する前の単一の画像（以下、元画像と称す）Ｉを例示的に説明した図である。図１０（ｂ）〜図１０（ｃ）は、２つの表示部に表示画像を表示する様子を例示的に説明した図である。
【０１０３】
前述したステップＳ１０２に進むと、表示装置１００が両面状態である場合の表示制御が開始される。ステップＳ１０２１で表示制御回路１１０は、元画像Ｉに基づいて、表示部１０１ａと表示部１０２ａに表示させる表示画像を決定する。そして、表示制御回路１１０は、表示制御回路１２０に対して、表示部１０２ａに表示させる表示画像に関する情報を第１の通信部１１２を介して送信する（図１０（ｂ）に該当）。なお、表示装置１００の両面状態では、元画像Ｉと同一の表示画像を２つの表示部に表示させる。
【０１０４】
次に、ステップＳ１０２２で表示制御回路１１０は、表示部１０１ａに表示可能な最大の大きさとなるように、ステップＳ１０２１で表示部１０１ａ用に決定した表示画像を拡大・縮小する。同様に、表示制御回路１２０は、表示部１０２ａに表示可能な最大の大きさとなるように、ステップＳ１０２１で表示部１０２ａ用に決定した表示画像を拡大・縮小する（図１０（ｃ）に該当）。なお、ステップＳ１０２１〜Ｓ１０２２までの工程は、表示制御回路１１０、１２０によって、略同一のタイミングで表示部１０１ａと表示部１０２ａに表示画像が表示されるように制御されている。以上が、表示装置１００が両面状態である場合の表示制御方法である。
【０１０５】
次に、図９と図１１を参照して、表示装置１００が横展開状態である場合の表示制御について説明する。図１１は、本発明に係る表示装置１００が横展開状態である場合に、単一の表示画像を分割して表示する方法を例示的に説明する図である。図１１（ａ）は、表示装置１００に表示する前の元画像Ｉを例示的に説明した図である。図１１（ｂ）〜図１１（ｆ）は、２つの表示部に元画像Ｉを分割した表示画像Ｉ１とＩ２を表示する様子を例示的に説明した図である。
【０１０６】
前述したステップＳ１０３に進むと、表示装置１００が横展開状態である場合の表示制御が開始される。ステップＳ１０３１で表示制御回路１１０は、長辺を２等分するように、元画像Ｉを分割し、表示部１０１ａ用の表示画像Ｉ１と、表示部１０２ａ用の表示画像Ｉ２を生成する（図１１（ｂ）に該当）。
【０１０７】
次に、ステップＳ１０３２で表示制御回路１１０は、生成した表示画像Ｉ１を表示部１０１ａに表示させる表示画像に決定する。また、生成した表示画像Ｉ２を表示部１０２ａに表示させる表示画像に決定する（図１１（ｃ）に該当）。そして、表示制御回路１１０は、表示制御回路１２０に対して、表示部１０２ａに表示させる表示画像２に関する情報を第１の通信部１１２を介して送信する。
【０１０８】
次に、ステップＳ１０３３で表示制御回路１１０は、表示画像Ｉ１の底部（下辺）が、第１のパネル１０１の面Ｆ１側を向くように、表示画像Ｉ１を回転させる。同様に、表示制御回路１２０は、表示画像Ｉ２の底部（下辺）が、第２のパネル１０２の面Ｆ２側を向くように、表示画像Ｉ２を回転させる。すなわち、元画像Ｉを分割した表示画像Ｉ１、Ｉ２の短辺が、第１のパネル１０１と第２のパネル１０２の面Ｆ１側を向くように、表示画像Ｉ１、Ｉ２を回転させる。
【０１０９】
このステップＳ１０３３の処理は、表示装置１００に設けられた不図示のメモリから読み出した画像（元画像）の上下左右方向を、表示装置１００の状態に合わせるための処理である。なお、表示装置１００が横展開状態である場合、元画像Ｉの上下左右と表示画像Ｉ１、Ｉ２の上下左右方向とが同じになるように、表示画像Ｉ１、Ｉ２を回転させる。
【０１１０】
次に、ステップＳ１０３４で表示制御回路１１０は、表示部１０１ａに表示可能な最大の大きさとなるように、表示画像Ｉ１を拡大・縮小する。同様に、表示制御回路１２０は、表示部１０２ａに表示可能な最大の大きさとなるように、表示画像Ｉ２を拡大・縮小する（図１１（ｄ）に該当）。
【０１１１】
次に、ステップＳ１０３５で表示制御回路１１０は、表示画像Ｉ１を表示させる表示部１０１ａ内の位置が、第１のパネル１０１の面Ｆ２側に近づくように変更（移動）させる。同様に、表示制御回路１２０は、表示画像Ｉ２を表示させる表示部１０２ａ内の位置が、第２のパネル１０２の面Ｆ２側に近づくように変更（移動）させる（図１１（ｅ）に該当）。以上が、表示装置１００が横展開状態である場合の表示制御方法である。以上説明したように、表示装置１００が横展開状態である場合は、表示画像Ｉ１と表示画像Ｉ２とがそれぞれが隣接するように表示される（図１１（ｆ）に該当）。
【０１１２】
次に、図９と図１２を参照して、表示装置１００が縦展開状態である場合の表示制御について説明する。図１２は、本発明に係る表示装置１００が縦展開状態である場合に、単一の表示画像を分割して表示する方法を例示的に説明する図である。図１２（ａ）は、表示装置１００に表示する前の元画像Ｉを例示的に説明した図である。図１２（ｂ）〜図１１（ｆ）は、２つの表示部に元画像Ｉを分割した表示画像Ｉ１とＩ２を表示する様子を例示的に説明した図である。
【０１１３】
なお、表示装置１００が縦展開状態である場合と横展開状態である場合とは、略同一の表示制御を行うので、以下の説明では、表示装置１００が横展開状態である場合と相違する点のみについて言及する。
【０１１４】
ステップＳ１０４３で表示制御回路１１０は、表示画像Ｉ１の上部（上辺）が、第１のパネル１０１の面Ｆ２側を向くように表示画像Ｉ１を回転させる。同様に、表示制御回路１２０は、表示画像Ｉ２の上部（上辺）が、第２のパネル１０２の面Ｆ２側を向くように表示画像Ｉ２を回転させる。すなわち、元画像Ｉを分割した表示画像Ｉ１、Ｉ２の長辺が、第１のパネル１０１と第２のパネル１０２の面Ｆ１側を向くように、表示画像Ｉ１、Ｉ２を回転させる。ステップＳ１０４４の工程は、前述したステップＳ１０３４の工程と略同一の処理を行うので説明は省略する。
【０１１５】
ステップＳ１０４５で表示制御回路１１０は、表示画像Ｉ１を表示させる表示部１０１ａ内の位置が第２のパネル１０２の面Ｆ１側に近づくように変更（移動）させる（図１２（ｅ）に該当）。以上が、表示装置１００が縦展開状態である場合の表示制御方法である。以上説明したように、表示装置１００が縦展開状態である場合も、表示画像Ｉ１、Ｉ２は、それぞれが隣接するように表示される（図１２（ｆ）に該当）。
【０１１６】
次に、図９と図１３を参照して、表示装置１００がエラー状態、または表示装置１００においてエラーが発生している状態である場合の表示制御について説明する。図１３は、本発明に係る表示装置１００がエラー状態である場合エラーの表示画像を例示的に説明する図である。図１３（ａ）は、表示装置１００に表示するエラー画像Ｅを例示的に説明した図である。図１３（ｂ）〜図１３（ｃ）は、２つの表示部にエラー画像Ｅを表示する様子を例示的に説明した図である。
【０１１７】
上述したように、本実施形態の表示装置１００は、上述した両面状態、横展開状態、縦展開状態の何れかである場合、少なくとも、センサ１０１ｅ、１０２ｅのうちの何れか一方で磁力が検知される構成である。ここで、本実施形態の表示装置１００は、各状態におけるヒンジ１０３と各パネルとの係止が磁石による吸着力によって保たれている。したがって、当該吸着力に抗する力で第１のパネル１０１または第２のパネル１０２を、軸Ａ１（軸Ｂ１）または軸Ａ２（軸Ｂ２）を中心に回動させることで、表示装置１００の状態をパネル同士が隣接しない状態へと変化してしまう。この状態では、センサ１０１ｅ、１０２ｅによって磁力が検知されない場合や、または、検知する磁力が所定値よりも小さい場合である。
【０１１８】
この状態は、それぞれの表示部が不自然に離間した状態である。そこで、本実施形態の表示装置１００では、センサ１０１ｅ、１０２ｅの両方で磁力が検知できない場合に、表示部１０１ａ、１０２ａにエラー画像Ｅを表示させる。この構成により、表示装置１００が不自然な状態であることをユーザに対して報知することができる。以下その詳細について説明する。
【０１１９】
前述したステップＳ１０５に進むと、表示装置１００がエラー状態である場合の表示制御が開始される。ステップＳ１０５１で表示制御回路１１０は、表示予定であった元画像Ｉをエラー画像Ｅに変更する（図１３（ａ）に該当）。
【０１２０】
次に、ステップＳ１０５２で表示制御回路１１０は、表示部１０１ａと表示部１０２ａに表示させる表示画像をエラー画像Ｅに決定する（図１３（ｂ）に該当）。
【０１２１】
次に、ステップＳ１０５３で表示制御回路１１０は、表示部１０１ａに表示可能な最大の大きさとなるように、ステップＳ１０５２で表示部１０１ａに決定した表示画像（エラー画像Ｅ）を拡大・縮小する。同様に、表示制御回路１２０は、表示部１０２ａに表示可能な最大の大きさとなるように、決定した表示画像（エラー画像Ｅ）を拡大・縮小する（図１３（ｃ）に該当）。以上が、表示装置１００がエラー状態である場合の表示制御方法である。
【０１２２】
なお、本実施形態では、表示装置１００がエラー状態である場合に、各表示部にエラー画像Ｅを表示させるような構成であるが、これに限定されるものではない。例えば、表示装置１００がエラー状態である場合に、各表示部に元画像Ｉを表示させるような構成であってもよいし、何も表示させないような構成であってもよい。
【０１２３】
以上説明したように、本実施形態の表示装置１００は、センサ１０１ｅ、１０２ｅの検知状態に応じて表示部１０１ａ、１０２ａに表示させる画像の向き、大きさ、位置が変更される。この構成によって、本実施形態の表示装置１００は、表示装置１００が何れの状態に変形されたとしても、各状態に適した向き、大きさ、位置で画像を表示させることができる。したがって、表示装置１００を複数の状態に変形できる（複数の方向に展開できる）場合であっても、ユーザに違和感を与えることなく、表示画像を各表示部に表示させることができる。
【０１２４】
ここで、元画像のアスペクト比と表示画像（分割画像）の関係について図１４を参照して説明する。なお、以降の説明では、第１のパネル１０１および第２のパネル１０２の額縁幅ｄが、各表示部に対して十分小さいことを考慮し、額縁幅ｄ≒０に近似する。
【０１２５】
図１４は、本発明に係る、元画像の比率に応じた表示画像の大きさを例示的に説明した図である。図１４（ａ）〜（ｃ）は、元画像Ｉの長辺と短辺の長さの比率が１：１（アスペクト比Ａ＝１）である場合の、表示装置１００に表示される表示画像を例示的に説明した図である。図１４（ｄ）〜（ｆ）は、元画像Ｉの長辺と短辺の長さの比率が２．５：１（アスペクト比Ａ＝２．５）である場合の、表示装置１００に表示される表示画像を例示的に説明した図である。
【０１２６】
図１４（ａ）、１４（ｂ）に図示するように、元画像のアスペクト比Ａ＝１の画像を両面状態または横展開状態の表示装置１００に表示させる場合は、表示画像の高さが、表示部１０１ａ、１０２ａの短辺の長さＨで制限される。したがって、この場合の表示画像の大きさは、高さＨ、幅Ｈ×Ａ＝Ｈとなる。
【０１２７】
また、図１４（ｃ）に図示するように、元画像のアスペクト比Ａ＝１の画像を縦展開状態の表示装置１００に表示させる場合は、表示画像の高さが、表示部１０１ａ、１０２ａの長辺の長さＷで制限される。したがって、この場合の表示画像の大きさは、高さＷ、幅Ｗ×Ａ＝Ｈとなる。
【０１２８】
各表示部の寸法の比率はＨ：Ｗ＝２：３なので、元画像のアスペクト比Ａ＝１のときは、表示装置１００が縦展開状態である場合に、表示装置１００が両面状態であるときよりも表示画像を拡大して表示させることができる。
【０１２９】
次に、図１４（ｄ）に図示するように、元画像のスペクト比Ａ＝２．５の画像を両面状態の表示装置１００に表示させる場合は、表示画像の幅が、表示部１０１ａ、１０２ａの長辺の長さＷで制限される。したがって、この場合の表示画像の大きさは、高さＷ／Ａ（高さＷ／２．５）、幅Ｗとなる。
【０１３０】
また、図１４（ｅ）に図示するように、元画像のスペクト比Ａ＝２．５の画像を横展開状態の表示装置１００に表示させる場合は、表示画像の高さが、表示部１０１ａ、１０２ａの短辺の長さＨで制限される。したがって、この場合の表示画像の大きさは、高さＨ、幅Ｈ×Ａ（幅２．５Ｈ）となる。
【０１３１】
また、図１４（ｆ）に図示するように、元画像のスペクト比Ａ＝２．５の画像を縦展開状態の表示装置１００に表示させる場合は、表示画像の幅が、仮想表示面Ｓｖの長辺の長さ２Ｈで制限される。したがって、この場合の表示画像は、高さ２Ｈ／Ａ（高さ０．８Ｈ）、幅２Ｈとなる。
【０１３２】
各表示部の寸法の比率はＨ：Ｗ＝２：３なので、元画像のアスペクト比Ａ＝２．５のときは、表示装置１００が横展開状態および縦展開状態である場合に、表示装置１００が両面状態であるときよりも表示画像を拡大して表示させることができる。
【０１３３】
以上説明したように、本実施形態の表示装置１００は、各状態で表示できる表示画像の大きさが、元画像のアスペクト比に応じて異なる。例えば、元画像のアスペクト比が比較的小さいときは、表示装置１００を縦展開状態とすることで表示画像を（横展開状態よりも）拡大して表示させることができる。また、元画像のアスペクト比が比較的大きいときは、表示装置１００を横展開状態とすることで表示画像を（縦展開状態よりも）拡大して表示させることができる。したがって、本実施形態の表示装置１００は、画像を分割して表示させる場合に、当該画像を拡大して表示させることができる。
【０１３４】
（第２実施形態）
本実施形態に係る表示装置である表示装置２００について、図１５〜１７を参照して説明する。なお、前述した第１実施形態と同様の構成については同一の符号を付して説明を省略し、以降は、第１実施形態とは異なる構成について説明する。
【０１３５】
図１５は、本発明を実施する表示装置の第２実施形態である表示装置２００が横展開状態である場合の構成を説明する図である。図１５（ａ）は、表示装置２００を正面側（面Ｆａ側）から見た正面図である。図１５（ｂ）は、表示装置２００を背面側（面Ｆｂ側）から見た背面図を中心とした３面図である。図１５に図示するように、本実施形態の表示装置２００と前述した第１実施形態の表示装置１００との相違点は、ヒンジ（第２の連結手段）１０４が新たに設けられた点と、磁石１０１ｄ、１０２ｄの構成が除かれた点である。以下、表示装置２００を形成する各部について詳細を説明する。
【０１３６】
軸支持部１０１ｂ１、１０１ｂ２、軸１０１ｃによって構成された第１の保持手段は、第１のパネル１０１の面Ｆｂ上であって、第１のパネル１０１の長辺を２等分した際の面Ｆ４に近い領域内に設けられている。なお、Ｘ方向における軸１０１ｃの中心は、面Ｆ２から３Ｈｐ／４の位置である。
【０１３７】
また、軸支持部１０２ｂ１、１０２ｂ２、軸１０２ｃによって構成された第２の保持手段は、第２のパネル１０２の面Ｆｂ上であって、第２のパネル１０２の短辺を２等分した際の面Ｆ３に近い領域内に設けられている。なお、Ｙ方向における軸１０２ｃの中心は、面Ｆ１から３Ｗｐ／４の位置である。
【０１３８】
軸支持部１０１ｆ１、１０１ｆ２は、後述する軸１０１ｇを支持する支持部であって、第１のパネル１０１の面Ｆｂに設けられている。軸１０１ｇは、円柱形状の軸であり、両端を軸支持部１０１ｆ１と軸支持部１０１ｆ２に固定されている。上述した軸支持部１０１ｆ１、１０１ｂｆ、軸１０１ｇをまとめて第３の保持手段と称する。この第３の保持手段によって、後述するヒンジ１０４のヒンジ端部（第２の端部）１０４ｂが保持される。
【０１３９】
上述した第３の保持手段（軸支持部１０１ｆ１、１０１ｆ２、軸１０１ｇ）は、面Ｆｂを形成する短辺（第２の辺）の縁部に設けられている。ここで、面Ｆ２と同一平面上の、面Ｆａとは逆方向（Ｚ方向）に面Ｆｂから距離ｔだけ離れた位置に、軸１０１ｇの中心軸（第４の軸）Ｃ２が位置する。なお、軸Ｃ２と軸Ａ１とは同一平面上に存在する。また、軸Ａ１は面Ｆ１と略平行であり、軸Ｃ２は面Ｆ２と略平行の関係となる。第１のパネル１０１において、面Ｆ１と面Ｆ２とは互いに直交するので、軸Ｃ２と軸Ａ１とも互いに直交する。
【０１４０】
また、軸支持部１０１ｆ１と１０１ｆ２とは、第１のパネル１０１の短辺と平行な方向（Ｙ方向）において距離Ｌ１だけ離間して配されている。この距離Ｌ１の中心が、面Ｆ１からＨｐ／４の位置と略一致するように、軸支持部１０１ｆ１と１０１ｆ２とが第１のパネル１０１の面Ｆｂに固定されている。なお、前述した第２の保持手段とは反対に、第３の保持手段は、第１のパネル１０１の面Ｆｂ上であって、第１のパネル１０１の短辺を２等分した際の面Ｆ４に近い領域内に設けられている。そして、軸１０１ｇのＹ方向における中心は、面Ｆ１からＨｐ／４の位置である。
【０１４１】
軸支持部１０２ｆ１、１０２ｆ２は、後述する軸１０２ｇを支持する支持部であって、第２のパネル１０２の面Ｆｂに設けられている。軸１０２ｇは、円柱形状の軸であり、両端を軸支持部１０２ｆ１と軸支持部１０２ｆ２に固定されている。上述いた軸支持部１０２ｆ１、１０２ｆ２、軸１０２ｇをまとめて第４の保持手段と称する。この第４の保持手段によって、後述するヒンジ１０４のヒンジ端部（第１の端部）１０４ａが保持される。
【０１４２】
上述した第４の保持手段（軸支持部１０２ｆ１、１０２ｆ２、軸１０２ｇ）は、面Ｆｂを形成する長辺（第３の辺）の縁部に設けられている。ここで、面Ｆ１と同一平面上において、面Ｆａとは逆方向（Ｚ方向）に面Ｆｂから距離ｔだけ離れた位置に、軸１０２ｇの中心軸（第３の軸）Ｃ１が位置する。なお、軸Ｃ１と軸Ａ２とは同一平面上に存在する。また、軸Ａ２は面Ｆ２と略平行であり、軸Ｃ１は面Ｆ１と略平行の関係となる。第２のパネル１０２において、面Ｆ１と面Ｆ２とは互いに直交するので、軸Ｃ１と軸Ａ２とも互いに直交する。
【０１４３】
また、軸支持部１０２ｆ１と１０２ｆ２とは、面Ｆｂ上において、第２のパネル１０２の長辺短辺と平行な方向（Ｘ方向）において距離Ｌ１だけ離間して配されている。この距離Ｌ１の中心が、面Ｆ２からＷｐ／４の位置と略一致するように、軸支持部１０２ｆ１と１０２ｆ２とが第２のパネル１０２の面Ｆｂに固定されている。なお、前述した第１の保持手段とは反対に、第４の保持手段は、第２のパネル１０２の面Ｆｂ上であって、第２のパネル１０２の長辺を２等分した際の面Ｆ２に近い領域内に設けられている。そして、軸１０２ｇのＸ方向における中心は、面Ｆ２からＷｐ／４の位置である。
【０１４４】
２軸ヒンジ（以下、単にヒンジと称す）１０４は、金属材料かつ磁性を有する材料によって形成された平板形状の（第２の）連結手段である。ヒンジ端部１０４ａは、回動軸（第３の軸）Ｄ１を中心とした円筒形状であって、ヒンジ１０４の端部のうち、前述した第４の保持手段に保持される第１の端部である。また、ヒンジ端部１０４ｂは、回動軸（第４の軸）Ｄ２を中心とした円筒形状であって、ヒンジ１０４の端部のうち、前述した第３の保持手段に保持される第２の端部である。なお、ヒンジ端部１０４ａ、１０４ｂの構成は、ヒンジ１０３のヒンジ端部１０３ａ、１０３ｂと略同一であるので詳細な説明は省略する。
【０１４５】
連結部１０４ｃは、磁性を有する金属材料によって形成された部材であって、第１のパネル１０１と第２のパネル１０２とを相対的に回動可能に連結するヒンジ１０４の連結領域である。
【０１４６】
軸Ｄ１と平行な方向におけるヒンジ端部１０４ａの中点から軸Ｄ２までの距離は、第１のパネル１０１および第２のパネル１０２の長辺の長さＷｐの１／４（Ｗｐ／４）の寸法である。また、軸Ｄ２と平行な方向におけるヒンジ端部１０４ｂの中点から軸Ｄ１までの距離は、第１のパネル１０１および第２のパネル１０２の短辺の長さＨｐの１／４（Ｈｐ／４）の寸法である。
【０１４７】
ヒンジ１０３と同様に、ヒンジ１０４は、ヒンジ端部１０４ａの内部に軸１０２ｇが挿入された状態で、互いが摺動しながら相対的に回動する。したがって、ヒンジ１０４は、第２のパネル１０２に対して回動軸Ｄ１（上述した状態で軸１０２ｇの中心軸Ｃ１と略一致する）を中心に回動可能に保持される。同様に、ヒンジ端部１０４ｂと軸１０１ｇも互いが摺動しながら相対的に回動する。したがって、ヒンジ１０４は、第１のパネル１０１に対して回動軸Ｄ２（上述した状態で軸１０１ｇの中心軸Ｃ２と略一致する）を中心に回動可能に保持される。
【０１４８】
以上説明したように、本実施形態の表示装置２００は、ヒンジ１０３に加えて、ヒンジ１０４の２つの端部が、第１のパネル１０１に設けられた第４の保持手段と第２のパネル１０２に設けられた第３の保持手段とによって回動可能に保持されている。この構成により、表示装置２００は、第１のパネル１０１と第２のパネル１０２とが相対的に回動可能であり、第１のパネル１０１と第２のパネル１０２の相対的な配置を変更することができる。なお、本実施形態の表示装置２００が変更できる状態は、前述した第１実施形態の表示装置１００と同様（横展開状態、両面状態、縦展開状態）である。
【０１４９】
図１５に図示するように、表示装置２００が横展開状態である場合、ヒンジ１０３の連結部１０３ｃは、表示部１０１ａ、１０２ａの表示方向（表示装置２００の厚み方向（Ｚ方向））において、第１のパネル１０１と重畳する。また、表示装置２００が横展開状態である場合、ヒンジ１０４の連結部１０４ｃは、表示装置２００の厚み方向において、第２のパネルと重畳する。
【０１５０】
図１６は、本発明を実施する表示装置の第２実施形態である表示装置２００が両面状態である場合の構成を説明する図である。図１６（ａ）は、表示装置２００を正面側（第１のパネル１０１の面Ｆａ側）から見た正面図である。図１６（ｂ）は、表示装置２００を背面側（第２のパネル１０２の面Ｆａ側）から見た背面図を中心とした３面図である。
【０１５１】
本実施形態の表示装置２００は、横展開状態から軸Ａ２（軸Ｂ２）および軸Ｃ２（軸Ｄ２）回りに、第１のパネル１０１と第２のパネル１０２を相対的に略１８０度回動させた状態である。この状態で、ヒンジ１０４の連結部１０４ｃは、表示装置２００の厚み方向において、第１のパネル１０１および第２のパネル１０２の両方と重畳する。
【０１５２】
図１７は、本発明を実施する表示装置の第２実施形態である表示装置２００が縦展開状態である場合の構成を説明する図である。図１７（ａ）は、表示装置２００を正面側（面Ｆａ側）から見た正面図である。図１７（ｂ）は、表示装置２００を背面側（面Ｆｂ側）から見た背面図を中心とした３面図である。
【０１５３】
本実施形態の表示装置２００は、両面開状態から軸Ａ１（軸Ｂ１）および軸Ｃ１（軸Ｄ１）回りに、第１のパネル１０１と第２のパネル１０２を相対的に略１８０度回動させた状態である。この状態で、ヒンジ１０４の連結部１０４ｃは、表示装置２００の厚み方向において第１のパネル１０１と重畳する。
【０１５４】
以上説明したように、本実施形態の表示装置２００も、横展開状態、両面状態、縦展開状態という３つの状態に変形させることができる。したがって、本実施形態の表示装置２００は、それぞれ表示部が設けられた第１のパネル１０１と第２のパネル１０２とを、複数の方向に展開することができる。
【０１５５】
また、本実施形態のヒンジ１０３の連結部１０３ｃとヒンジ１０４の連結部１０４ｃとは、表示装置２００の展開状態ごとに、表示装置２００の厚み方向において重畳するパネルがそれぞれ異なる。また、ヒンジ１０３の連結部１０３ｃとヒンジ１０４の連結部１０４ｃとは、表示装置２００の厚み方向において、表示装置２００の状態に応じて重畳するパネルが変化する。
【０１５６】
例えば、前述した表示装置２００の横展開状態では、表示装置２００の厚み方向（Ｚ方向）において、連結部１０３ｃが第１のパネル１０１と重畳し、連結部１０４ｃが第２のパネル１０２と重畳する。これに対して、表示装置２００の縦展開状態では、表示装置２００の厚み方向（Ｚ方向）において、連結部１０３ｃが第２のパネル１０２と重畳し、連結部１０４ｃが第１のパネル１０１と重畳する。すなわち、本実施形態の表示装置２００は、いずれの展開状態においても、第１のパネル１０１と第２のパネル１０２の両方の背面側（面Ｆｂ側）が、ヒンジ１０３またはヒンジ１０４によって支えられる。
【０１５７】
この構成により、本実施形態の表示装置２００は、外力に対する剛性を向上させることができる。また、この構成により、表示装置２００は、状態を変更している間（例えば、横展開状態から両面状態への変形中など）に、ユーザが意図しない方向に変形されることを防止することができる。すなわち、磁石１０１ｄ、１０２ｄを設けることなく、表示装置２００の変形を容易に行うことができる。
【０１５８】
なお、本実施形態では、ヒンジ１０３に磁石１０３ｅを設けるような構成であるが、これに限定されるものではない。例えば、ヒンジ１０４の連結部１０４ｃに前述した磁石１０３ｅと略同一の構成の検知磁石を設けるような構成であってもよい。この場合、連結部１０４ｃに設けられた当該検知磁石の検知状態に応じて、表示制御回路１１０、１２０が、表示装置２００の状態を検出する構成であればよい。
【０１５９】
また、本実施形態では、それぞれのパネルに、ヒンジ１０３を係止するための磁石を設けないような構成であったが、これに限定されるものではない。例えば、前述した第１実施形態と同様に、磁石１０１ｄ、１０２ｄを設けるような構成であってもよいし、磁石１０１ｄ、１０２ｄと略同一の磁石を、第１のパネル１０１、第２のパネル１０２のヒンジ１０４と重畳可能な位置に設けるような構成であってもよい。すなわち、ヒンジ１０４を係止する係止手段を第１のパネル１０１と第２のパネル１０２に設けるような構成であってもよい。
【０１６０】
以上、本発明の好ましい実施形態について説明したが、本発明はこれらに限定されず、その要旨の範囲内で種々の変形及び変更が可能である。例えば、上述した実施形態では、表示装置の展開状態において、元画像を分割した分割画像（表示画像）を分けて、第１の表示部と第２の表示部のそれぞれに表示させるような構成について説明したが、これに限定されるものではない。例えば、第１の表示部または第２の表示部の何れか一方のみに元画像を分割せずに表示させるような構成であってもよい。
【０１６１】
ここで、元画像を表示させていない表示部に、元画像以外の画像を表示させるような構成であってもよい。例えば、一方の表示部に表示させている画像に関する情報や、一方の表示部に表示させている画像と時間的に連続して取得した画像などを、他方の表示部に表示させるような構成であってもよい。
【０１６２】
また、前述した実施形態では、２つのパネル（第１のパネル１０１および第２のパネル１０２）の配置を複数の状態に変更できる表示装置について説明したが、２つ以上のパネルの相対的な配置を変更できる構成であってもよい。
【０１６３】
また、前述した実施形態では、係止手段として磁石（磁力を用いるもの）を採用したが、これに限定されるものではない。例えば、フックやピンなどによって、ヒンジ１０３を機械的に係止する構成であってもよい。さらに、表示装置の状態をロックするロック機構を設ける構成であってもよい。
【０１６４】
さらに、ヒンジ端部１０３ａ、１０３ｂ、１０４ａ、１０４ｂの内周、または軸１０１ｃ、１０２ｃ、１０１ｇ、１０２ｇの外周の寸法を調節し、各ヒンジ端部と軸との摺動による摩擦力を、各パネルの重さより大きくするような構成であってもよい。この構成によって、表示装置に係止手段を設けることなく、表示装置の状態を維持することができる。
【０１６５】
また、前述した実施形態では、表示装置の状態を検知する検知手段として、センサ１０１ｅ、１０２ｅなどの磁気センサを採用するような構成であったが、これに限定されるものではない。例えば、上述した検知手段として、光検知センサなど他のタイプのセンサを採用する構成であってもよいし、機械的なスイッチを採用する構成であってもよい。
【０１６６】
なお、本実施形態では、表示装置の状態を検出する手段として、各パネルとヒンジとの相対的な位置関係を検知するような構成であったが、これに限定されるものではない。例えば、第１のパネル１０１と第２のパネル１０２との相対位置を直接検知することで、表示装置の状態を検出するような構成であってもよい。
【０１６７】
具体的には、第１のパネル１０１および第２のパネル１０２の面Ｆ１同士、および面Ｆ２同士に、検知手段を設けるような構成であってもよい。この構成において、表示装置の横展開状態で各パネルの面Ｆ２同士が互いに面していることが検知され、表示装置の縦展開状態で各パネルの面Ｆ１同士が互いに面していることが検知される。
【０１６８】
面Ｆ２同士が互いに面していることが検知された場合に、表示制御回路１１０（または、表示制御回路１２０）は表示装置が横展開状態であると判定する。また、面Ｆ１同士が互いに面していることが検知された場合に、表示制御回路１１０（または、表示制御回路１２０）は、表示装置が縦展開状態であると判定する。なお、面Ｆ１同士ならびに面Ｆ２同士が互いに面していることが検出されない場合、表示制御回路１１０は、表示装置が両面状態であると判定する。
【０１６９】
また、第１のパネル１０１と第２のパネル１０２の大きさがそれぞれ異なるような構成であってもよいし、表示部１０１ａと表示部１０２ａの大きさがそれぞれ異なるような構成であってもよい。
【０１７０】
また、前述した実施形態では、第１の保持手段と第２の保持手段とが、第１のパネル１０１と第２のパネル１０２の面Ｆｂ上に設けられているような構成について説明したが、これに限定されるものではない。例えば、第１のパネル１０１と第２のパネル１０２の側面に設けられているような構成であってもよい。以下、この詳細について図１８、１９を参照して説明する。
【０１７１】
図１８は、本発明を実施する表示装置の変形例である表示装置３００を構成する各部を説明する図である。図１８（ａ）〜（ｃ）は、第１のパネル１０１、第２のパネル１０２、二軸ヒンジ１０３の三面図をそれぞれ示している。
【０１７２】
図１９は、表示装置３００を横展開状態にした場合の表示装置の構成を説明する図である。図１９（ａ）は、正面側（表示部１０１ａ、１０２ａが設けられている面側）から見た表示装置１００を説明する図である。図１９（ｂ）は、背面側（表示部１０１ａ、１０２ａが設けられている面とは反対側）から見た表示装置３００を中心とした三面図である。なお、本変形の表示装置３００において、前述した第１実施形態の表示装置１００と同様の構成については、同一の符号を付す。以降の説明では、表示装置３００について、前述した第１実施形態の表示装置１００とは異なる構成について言及する。
【０１７３】
図１８に図示するように、本変形例の表示装置３００は、軸支持部１０１ｂ１、１０１ｂ２の一部が、第１のパネル１０１の面Ｆ１に延出して形成されている。すなわち、軸支持部１０１ｂ１、１０１ｂ２は、第１のパネル１０１の面Ｆｂと面Ｆ１に跨って設けられている。また、本変形例の表示装置３００は、軸支持部１０２ｂ１、１０２ｂ２の一部が、第２のパネル１０２の面Ｆ２に延出して形成されている。すなわち、軸支持部１０２ｂ１、１０２ｂ２は、第２のパネル１０２の面Ｆｂと面Ｆ２に跨って設けられている。
【０１７４】
図１８に図示するように、本変形例の表示装置３００は、第１のパネル１０１の面Ｆ２に切り欠き部１０１ｘが設けられている。また、本変形例の表示装置３００は、第２のパネル１０２の面Ｆ１に切り欠き部１０２ｘが設けられている。
【０１７５】
図１９に図示するように、表示装置３００を展開した状態で、第２のパネル１０２の面Ｆ２に延出した軸支持部１０２ｂ１、１０２ｂ２が、第１のパネル１０１に設けられた切り欠き部１０１ｘに収納される。すなわち、表示装置３００を横展開状態に変形した場合に、切り欠き部１０１ｘの内部に軸支持部１０１ｂ１、１０１ｂ２の延出部分が収納される。したがって、軸支持部１０１ｂ１、１０１ｂ２が第１のパネル１０１と第２のパネル１０２の相対的な回動に干渉することがない。
【０１７６】
同様に、表示装置３００を縦展開状態にした場合も、第１のパネル１０１の面Ｆ１に延出した軸支持部１０１ｂ１、１０１ｂ２が、第２のパネル１０２に設けられた切り欠き部１０２ｘの内部に収納される。したがって、軸支持部１０２ｂ１、１０２ｂ２が第１のパネル１０１と第２のパネル１０２の相対的な回動に干渉することがない。なお、表示装置３００が両面状態である場合も、上述した各軸支持部が、各パネル同士の相対的な回動に干渉することはない。
【０１７７】
以上説明したように、表示装置３００は、各軸支持部が面Ｆ１および面Ｆ２にも延出して設けられている場合であっても、第１のパネル１０１と第２のパネル１０２の相対的な配置を複数の状態に変更することができる。すなわち、表示装置３００は、第１の保持手段および第２の保持手段が各パネルの側面に設けられている場合であっても、横展開状態、両面状態、縦展開状態へと各パネル同士の相対的な配置を変更することができる。したがって、本実施形態の表示装置３００は、それぞれ表示部が設けられた第１のパネル１０１と第２のパネル１０２において、延長線上に位置する辺同士が異なるように、各パネル同士の相対的な配置を変更することができる。
【０１７８】
また、前述した実施形態で説明した表示装置を、撮像装置などの電子機器の表示手段に適用するような構成であってもよい。以下、この詳細について図２０を参照して説明する。
【０１７９】
図２０は、本発明を実施した表示装置の変形例である表示装置５００を、撮像装置４００に適用した場合を例示的に説明する図である。図２０（ａ）は撮像装置４００（表示装置５００）を上面側から見た図であって、図２０（ｂ）は背面側から見た図である。
【０１８０】
なお、表示装置５００は前述した第１実施形態の表示装置１００と同一の構成であって、表示装置１００と同一の符号を付す。図２０（ａ）に図示する実線部分は表示装置５００が横展開状態の場合を示し、二点鎖線部分は表示装置５００が両面状態の場合を例示的に示している。そして、図２０（ｂ）に図示する実線部分は表示装置５００が横展開状態の場合を示し、二点鎖線部分は表示装置５００が縦展開状態の場合を例示的に示している。
【０１８１】
図２０（ａ）に図示するＺ方向において、後述する撮像ユニット４０１のレンズ４０１ａが設けられている側を撮像装置４００の正面側とし、その反対側を背面側とする。また、図２０（ａ）に図示するＸ方向において、撮像装置４００を構成する表示装置５００が横展開状態である場合に、第１のパネル１０１が位置する側を撮像装置４００の右側とし、その反対側を撮像装置４００の左側とする。さらに、図２０（ｂ）に図示するＹ方向において、撮像ユニット４０１のレンズ４０１ａが設けられている側を撮像装置４００の上側、その反対側を下側とする。
【０１８２】
なお、撮像装置４００は、撮像装置４００を構成する表示装置５００が横展開状態および縦展開状態である場合に、背面側に向けて表示部１０１ａと表示部１０２ａとが略同一の方向を向く。また、撮像装置４００は、表示装置４００が両面状態である場合に、表示部１０１ａが正面側を向き、表示部１０２ａが背面側を向く。
【０１８３】
図２０（ａ）、（ｂ）に図示するように、撮像装置４００は、表示装置５００と、撮像ユニット４０１によって構成されている。撮像ユニット４０１は、表示装置５００の第２のパネル１０２の面Ｆ４に保持されている。また、撮像ユニット４０１は、被写体の光学像を不図示の撮像素子に導くレンズ４０１ａを含んでいる。
【０１８４】
なお、撮像ユニット４０１には、不図示のカメラマイコンが設けられており、当該カメラマイコンによって被写体の撮像や、撮像によって取得した画像データの現像など種々の動作および処理が制御されている。
【０１８５】
具体的には、撮像ユニット４０１によって取得された画像データが、カメラマイコンによって表示用の画像データ（表示画像）へと変換される。当該変換された表示画像に関する情報は、不図示のカメラ通信部から、第１のパネル１０１に設けられた第１の通信部１１２を介して、表示制御回路１１０へと送信される。以降の処理は、前述した第１実施形態の表示装置１００（図８、９のフローチャートと）と同様の処理が行われる。
【０１８６】
なお、本変形例の撮像装置４００としては、前述した第１実施形態のように、表示制御回路１１０、１２０を設けないような構成であってもよい。この場合、表示制御回路１１０、１２０が実行する制御を前述したカメラマイコンが実行する。なお、カメラマイコンから第１のパネル１０１および第２のパネル１０２への指示は、撮像装置４００に設けられた通信部と、第１の通信部１１２および第２の通信部１２２とを介して実行される。
【０１８７】
以上説明した構成によって本変形例の撮像装置４００は、例えば、ユーザが撮像装置４００の背面側に位置している状態で被写体を撮像する場合に、撮像によって取得した画像を、２つの表示部を用いて拡大して表示させることができる。また、撮像によって取得した画像を一方の表示部に表示させ、被写体の撮像に関する種々のパラメータなどを他方の表示部に表示させることができる。
【０１８８】
また、例えば、ユーザが撮像装置４００の正面側に位置している状態で被写体を撮像する場合に、表示部１０１ａでフレーミングや、所謂セルフタイマーによる被写体の撮像までに掛る時間などを確認することができる。
【符号の説明】
【０１８９】
１００  表示装置
１０１  第１のパネル（第１の筐体）
１０１ａ  表示部
１０２  第２のパネル（第２の筐体）
１０２ａ  表示部
１０３  ２軸ヒンジ（連結手段）
１０３ａ  ヒンジ端部（第１の端部）
１０３ｂ  ヒンジ端部（第２の端部）
１０３ｃ  連結部（連結領域）
【図１】
0006570268.tif 000002
【図２】
0006570268.tif 000003
【図３】
0006570268.tif 000004
【図４】
0006570268.tif 000005
【図５】
0006570268.tif 000006
【図６】
0006570268.tif 000007
【図７】
0006570268.tif 000008
【図８】
0006570268.tif 000009
【図９】
0006570268.tif 000010
【図１０】
0006570268.tif 000011
【図１１】
0006570268.tif 000012
【図１２】
0006570268.tif 000013
【図１３】
0006570268.tif 000014
【図１４】
0006570268.tif 000015
【図１５】
0006570268.tif 000016
【図１６】
0006570268.tif 000017
【図１７】
0006570268.tif 000018
【図１８】
0006570268.tif 000019
【図１９】
0006570268.tif 000020
【図２０】
0006570268.tif 000021